(57)【特許請求の範囲】
【請求項１】
携帯端末と、該携帯端末と通信可能なサーバと、を備える作動制御システムであって、
前記携帯端末は、
対象機器の周辺に付設されたコード画像を撮像する撮像部と、
前記コード画像を撮像したとき、前記コード画像に含まれるコード情報と、前記携帯端末の利用者を識別可能な利用者情報とを、前記サーバに送信する第１処理部と、
前記サーバから操作コマンドを受信したとき、該操作コマンドを前記対象機器に送信し、前記操作コマンドに応じて前記対象機器を作動させる第２処理部と、を備え、
前記サーバは、
前記携帯端末から前記コード情報と前記利用者情報とを受信したとき、前記コード情報と前記利用者情報とに基づいて前記利用者の操作権限を認証し、操作可能と判断されたとき、前記操作コマンドを前記携帯端末に送信する認証処理部を備えた、
作動制御システム。
【請求項２】
前記コード画像は、シールに印刷された二次元コードである、
請求項１に記載の作動制御システム。
【請求項３】
前記コード情報は、前記対象機器をどのように作動をさせるかを指定する操作情報に加え、前記対象機器になりうる複数の機器のどれを選択して前記対象機器として作動させるかを指定する識別情報を含んでいる、
請求項１又は２に記載の作動制御システム。
【請求項４】
前記携帯端末は、近距離無線通信を用いて前記操作コマンドを前記対象機器に送信する、
請求項１から３のいずれか一項に記載の作動制御システム。
【請求項５】
前記サーバは、どの利用者が、どの機器に対して、どのような操作が許されているか、を示す認証情報が格納された記憶部をさらに備え、
前記認証処理部は、前記記憶部を参照し、該記憶部に格納された前記認証情報と前記携帯端末から受信した前記利用者情報とを照らして、前記コード情報について前記利用者が操作可能か判断する、
請求項１から４のいずれか一項に記載の作動制御システム。
【請求項６】
画像を撮像可能な携帯端末と、該携帯端末と通信可能なサーバと、を用いる作動制御方法であって、
前記携帯端末が、対象機器の周辺に付設されたコード画像を撮像したとき、該コード画像に含まれるコード情報と、前記携帯端末の利用者を識別可能な利用者情報とを、前記サーバに送信すること、
前記サーバが、前記携帯端末から前記コード情報と前記利用者情報とを受信したとき、前記コード情報と前記利用者情報とに基づいて前記利用者の操作権限を認証し、操作可能と判断されたとき、操作コマンドを前記携帯端末に送信すること、及び、
前記携帯端末が、前記サーバから前記操作コマンドを受信したとき、該操作コマンドを前記対象機器に送信し、前記操作コマンドに応じて前記対象機器を作動させること、を含む、
作動制御方法。
【請求項７】
対象機器に付設されたコード画像及び該コード画像を撮像した携帯端末の利用者情報に応じて、前記対象機器を作動させるための操作コマンドを前記携帯端末に送信するサーバであって、
前記コード画像に含まれるコード情報と前記利用者情報とを受信したとき、前記コード情報と前記利用者情報とに基づいて利用者の操作権限を認証し、操作可能と判断されたとき、前記操作コマンドを前記携帯端末に送信する認証処理部を備える、
サーバ。
【請求項８】
対象機器に付設されたコード画像及び該コード画像を撮像した携帯端末の利用者情報に応じて、利用者の操作権限を認証して前記携帯端末に前記対象機器を作動させる認証方法であって、
前記携帯端末と通信可能なサーバが、前記コード画像に含まれるコード情報と前記利用者情報とを受信したとき、前記コード情報と前記利用者情報とに基づいて前記利用者の操作権限を認証し、操作可能と判断されたとき、前記対象機器を作動させるための操作コマンドを前記携帯端末に送信する、
認証方法。
【請求項９】
携帯端末がコード画像を撮像したとき、前記携帯端末から前記コード画像に含まれるコード情報と、前記携帯端末の利用者を識別可能な利用者情報とを受信すること、
前記携帯端末から前記コード情報と前記利用者情報とを受信したとき、前記コード情報と前記利用者情報とに基づいて前記利用者の操作権限を認証し、操作可能と判断されたとき、操作コマンドを前記携帯端末に送信すること、
をコンピュータに実行させるプログラム。
【発明の詳細な説明】
【技術分野】
【０００１】
本発明は、スマートフォン等の携帯端末を用いて種々の機器を作動させるための技術に関する。
【背景技術】
【０００２】
スマートフォン等の高機能な携帯端末が普及し、携帯端末を用いて種々の機器を作動させる技術が提案されている。例えば、特許文献１には、携帯端末を用いて、オフィスや住居等のドアに設置された錠前を解錠及び施錠したり、照明装置を点消灯したり、種々の機器を操作できる技術が提案されている。
【先行技術文献】
【特許文献】
【０００３】
【特許文献１】特開２０１７−１１２５３６号公報
【発明の概要】
【発明が解決しようとする課題】
【０００４】
セキュリティ上の理由から、ドアの前でなければ該ドアの錠開閉装置を操作できないように制限したいことがある。錠開閉装置に限らず、各々の機器の前でなければ操作できないように利用者の操作権限を制限したい場合、例えば、携帯端末の位置情報を利用することが考えられる。しかしながら、位置情報は、ＧＰＳやビーコンによって取得できるものの、電波が届きにくい場所があったり、電波干渉によって精度が落ちたりすることがある。電波に頼らない方法で携帯端末と各々の機器との位置関係を利用できることが望ましい。
【０００５】
そこで、本発明は、対象機器から離れた場所では該機器を操作できないように利用者の操作権限を制限できる作動制御システム及び作動制御方法を提供することを目的とする。
【課題を解決するための手段】
【０００６】
本発明の一態様に係る作動制御システムは、携帯端末と、該携帯端末と通信可能なサーバと、を備える作動制御システムである。携帯端末は、対象機器の周辺に付設されたコード画像を撮像する撮像部と、を備えている。コード画像を撮像したとき、コード画像に含まれるコード情報と携帯端末の利用者を識別可能な利用者情報とを、サーバに送信する第１処理部と、サーバから操作コマンドを受信したとき、該操作コマンドを対象機器に送信し、操作コマンドに応じて対象機器を作動させる第２処理部と、を備えている。サーバは、携帯端末からコード情報と利用者情報とを受信したとき、コード情報と利用者情報とに基づいて利用者の操作権限を認証し、操作可能と判断されたとき、操作コマンドを携帯端末に送信する認証処理部を備えている。
【０００７】
本発明の一態様に係る作動制御方法は、画像を撮像可能な携帯端末と、該携帯端末と通信可能なサーバと、を用いる。作動制御方法は、携帯端末が、対象機器の周辺に付設されたコード画像を撮像したとき、該コード画像に含まれるコード情報と、携帯端末の利用者を識別可能な利用者情報とを、サーバに送信すること、サーバが、携帯端末からコード情報と利用者情報とを受信したとき、コード情報と利用者情報とに基づいて利用者の操作権限を認証し、操作可能と判断されたとき、操作コマンドを携帯端末に送信すること、及び、携帯端末が、サーバから操作コマンドを受信したとき、該操作コマンドを対象機器に送信し、操作コマンドに応じて対象機器を作動させること、を含んでいる。
【０００８】
本発明の一態様に係るサーバは、対象機器に付設されたコード画像及び該コード画像を撮像した携帯端末の利用者情報に応じて、対象機器を作動させるための操作コマンドを携帯端末に送信する。サーバは、コード画像に含まれるコード情報と利用者情報とを受信したとき、コード情報と利用者情報とに基づいて利用者の操作権限を認証し、操作可能と判断されたとき、操作コマンドを携帯端末に送信する認証処理部を備えている。
【０００９】
本発明の一態様に係る認証方法は、対象機器に付設されたコード画像及び該コード画像を撮像した携帯端末の利用者情報に応じて、利用者の操作権限を認証して携帯端末に対象機器を作動させる。認証方法は、携帯端末と通信可能なサーバが、コード画像に含まれるコード情報と利用者情報とを受信したとき、コード情報と利用者情報とに基づいて利用者の操作権限を認証し、操作可能と判断されたとき、対象機器を作動させるための操作コマンドを携帯端末に送信する。
【００１０】
本発明の一態様に係るプログラムは、携帯端末がコード画像を撮像したとき、携帯端末からコード画像に含まれるコード情報と、携帯端末の利用者を識別可能な利用者情報とを受信すること、携帯端末からコード情報と利用者情報とを受信したとき、コード情報と利用者情報とに基づいて利用者の操作権限を認証し、操作可能と判断されたとき、操作コマンドを携帯端末に送信すること、をコンピュータに実行させる。
【００１１】
これらの態様によれば、対象機器に付設されたコード画像をカメラ等の撮像部で撮像できる距離でないと該機器を操作するための操作コマンドがサーバから携帯端末に送信されない。コード画像から離れた場所では機器を操作できないように利用者の操作権限を制限できる。現地にいなくてもサーバを遠隔操作してコード画像に含まれるコード情報を即座に無効化できるため、セキュリティ上の利点がある。
【００１２】
上記態様において、コード画像は、シールに印刷された二次元コードであってもよい。
【００１３】
この態様によれば、作動制御システムを廉価に構成できる。オフィスや住居等には、コード画像が印刷されたシールを貼るだけでよいため、ＮＦＣリーダー等をオフィスや住居等に導入する場合と比べて設備投資を大幅に削減できる。いたずら等によってＮＦＣリーダー等が壊される心配もない。仮に、シールを剥がされても、新しいシールを印刷して貼るだけでよいため被害が小さい。一定期間ごとに新しいシールに貼り替えてコード情報を更新できるため、セキュリティ上の利点がある。
【００１４】
上記態様において、コード情報は、対象機器をどのように作動をさせるかを指定する操作情報に加え、対象機器になりうる複数の機器のどれを選択して対象機器として作動させるかを指定する識別情報を含んでいてもよい。
【００１５】
この態様によれば、複数の機器を同じ場所に設置しても混線しない。一つのリモコンや携帯端末で複数の機器を操作する場合、機器の切替えのための入力操作が面倒である。この態様は、機器の識別子がコード画像に埋め込まれているため、アプリ上で対象機器を切り替える手間を不要にできる。コード画像に携帯端末をかざすだけで目的の対象機器の操作コマンドを実行できるため、例えば、民泊にこの態様を適用すれば、日本語が分からない外国人であっても複数の機器を直感的に利用できる。操作マニュアルを各国の言語に翻訳する手間を不要にできる。
【００１６】
上記態様において、携帯端末は、近距離無線通信を用いて操作コマンドを対象機器に送信してもよい。
【００１７】
この態様によれば、仮に、コード画像を不正コピーされても、遠隔地からは携帯端末と対象機器との間で近距離無線通信を行うことができないため、対象機器の不正使用を防止できる。
【００１８】
上記態様において、サーバは、どの利用者が、どの機器に対して、どのような操作が許されているか、を示す認証情報が格納された記憶部をさらに備えていてもよい。認証処理部は、記憶部を参照し、該記憶部に格納された認証情報と携帯端末から受信した利用者情報とを照らして、コード情報について利用者が操作可能か判断してもよい。
【００１９】
この態様によれば、記憶部に格納された認証情報と照らすことにより利用者が操作権限を有しているか確実に判断できる。
【発明の効果】
【００２０】
本発明によれば、対象機器から離れた場所では該機器を操作できないように利用者の操作権限を制限できる作動制御システム及び作動制御方法を提供することができる。
【図面の簡単な説明】
【００２１】
【図１】図１は、コード画像に携帯端末のカメラをかざして対象機器を操作する様子を示す斜視図である。
【図２】図２は、本発明の一実施形態の作動制御システムの概略的な構成を示す図である。
【図３】図３は、図２に示された錠開閉装置の構成を示すブロック図である。
【図４】図４は、図３に示された錠開閉装置の設置場所を模式的に示す斜視図である。
【図５】図５は、図２に示された携帯端末の構成を示すブロック図である。
【図６】図６は、図２に示されたサーバの構成を示すブロック図である。
【図７】図７は、携帯端末から受信した情報に基づいてサーバが操作コマンドを送信する手順を示すフローチャートである。
【図８】図８は、サーバに格納されている認証情報の一例を示す図である。
【図９】図９は、解錠又は施錠を実行する際の携帯端末及び錠開閉装置の動作手順を示すフローチャートである。
【発明を実施するための形態】
【００２２】
添付図面を参照して、本発明の実施形態について説明する。なお、各図において、同一の符号を付したものは、同一又は同様の構成を有する。図１は、コード画像Ｐに携帯端末２００のカメラをかざして対象機器を操作する様子を示す斜視図である。図１に示すように、本発明の一実施形態の作動制御システムは、カメラ付きスマートフォン等の携帯端末２００によるコード画像Ｐの撮像を動作トリガーとして対象機器を操作することが特徴の一つである。
【００２３】
図示した例では、オフィスや住居等のドアに設置された錠前を解錠及び施錠する錠開閉装置１００を対象機器として操作している。本実施形態の作動制御システムは、図示した例に限定されず、照明装置の点消灯、テレビジョン装置の電源のオンオフ切替え、エアコン装置の電源のオンオフ切替え、防火防犯システムの作動制御、カーテンの自動開閉制御等、種々の機器に適用できる。
【００２４】
コード画像Ｐは、対象機器の周辺に付設されている。図示した例では、ドアの室内側に錠開閉装置１００が取り付けられ、ドアの室外側にコード画像Ｐが貼着されている。コード画像Ｐは、コード情報が埋め込まれた画像である。図示した例では、コード画像Ｐが、シールに印刷された二次元コードとして構成されている。コード情報には、対象機器をどのように作動をさせるかを指定する操作情報、対象機器になりうる複数の機器のどれを選択して対象機器として作動させるかを指定する識別情報等が符号化されて含まれている。
【００２５】
操作情報は、錠開閉装置１００が錠前を解錠する操作コマンドに対応していてもよいし、錠開閉装置１００が錠前を施錠する操作コマンドに対応していてもよい。錠前が施錠されている場合には錠開閉装置１００が錠前を解錠し、錠前が解錠されている場合には錠開閉装置１００が錠前を施錠する操作コマンドに対応していてもよい。
【００２６】
図２は、本発明の一実施形態の作動制御システムの概略的な構成を示す図である。作動制御システムは、対象機器の一例である錠開閉装置１００と、利用者が所持する携帯端末２００と、携帯端末２００と通信可能なサーバ３００と、を備えている。錠開閉装置１００は、ドア４１０のサムターン４００に取り付けられ、サムターン４００を回転させることによりドア４１０の錠前を解錠及び施錠できる。
【００２７】
携帯端末２００は、通信ネットワークＮを介してサーバ３００に接続され、このサーバ３００と相互に通信を行う機能を備えている。携帯端末２００として、スマートフォン、携帯電話機、ノートパソコン、家庭用ゲーム機器等、通信機能を備えた種々の端末を用いることができる。携帯端末２００は、カメラやバーコードリーダ等の撮像部を備え、図１に示されたコード画像Ｐを静止画や動画として撮像可能に構成されている。
【００２８】
サーバ３００は、携帯端末２００に対象機器に関する種々の情報を提供したり、利用者が対象機器を操作する操作権限を認証して携帯端末２００に操作コマンドを送信したりすることができる。サーバ３００は、例えば演算処理能力を備えたコンピュータが所定のプログラムを実行することによって構成される。
【００２９】
通信ネットワークＮは、携帯端末２００とサーバ３００との間で相互に情報通信を行うことが可能な通信網を含んで構成されている。通信ネットワークＮは、例えば、インターネット、ＬＡＮ、専用線、電話回線、企業内ネットワーク、移動体通信網その他の通信回線、それらの組み合わせ等のいずれであってもよい。
【００３０】
図３は、錠開閉装置１００の構成を示すブロック図である。図示した例では、錠開閉装置１００が、制御部１０と、メモリ２０と、近距離通信部２１と、サムターン開閉機構２２と、を備えている。制御部１０は、例えばＣＰＵ等を備えたコンピュータシステムにおいて所定の動作プログラムを実行させることによって構成され、機能ブロックとしてステイタス処理部１１と開閉制御部１２とを有している。メモリ２０は、制御部１０と接続された不揮発性メモリ等の記憶手段であり、制御部１０で実行される動作プログラムや各種のデータを記憶する。
【００３１】
近距離通信部２１は、制御部１０と接続されており、制御部１０と携帯端末２００との間で近距離無線通信に係る処理を行う。なお、本実施形態における近距離無線通信とは、ブルートゥース（登録商標）等の通信規格を用いた無線通信を含み、ＮＦＣ（Ｎｅａｒ  Ｆｉｅｌｄ  Ｃｏｍｍｕｎｉｃａｔｉｏｎ）を用いた通信距離が十センチメートル以下の無線通信に限定されない。通信距離が数十メートル以下の無線ＰＡＮ（ｗｉｒｅｌｅｓｓ  ｐｅｒｓｏｎａｌ  ａｒｅａ  ｎｅｔｗｏｒｋ）を構築できる種々の通信規格を用いることができる。
【００３２】
開閉制御部１２は、近距離無線通信により携帯端末２００から受信した解錠又は施錠を指示する操作コマンドに基づいて、サムターン開閉機構２２を作動させる。サムターン開閉機構２２は、サムターン４００に取り付けられており、制御部１０の開閉制御部１２から与えられる命令に応じてサムターン４００を解錠に対応する位置と施錠に対応する位置とに回動させる。なお、開閉制御部１２は、サムターン開閉機構２２に解錠コマンドを与えた後に一定時間が経過した場合、サムターン開閉機構２２に施錠コマンドを与えるように構成してもよい。
【００３３】
ステイタス処理部１１は、操作コマンドが実行された結果、錠前が現在どのような状態であるか等のステイタス情報を近距離無線通信で携帯端末２００に送信する処理を行う。例えば、解錠コマンドの結果、錠前が問題なく解錠されていれば「ＯＫ」、何らかの理由で錠前が解錠されていなければ「ＮＧ」といったステイタス情報を携帯端末２００に送信する。
【００３４】
図４は、錠開閉装置１００の設置場所を模式的に示す斜視図である。室内側に面したドア４１０の内面には、錠前を解錠及び施錠するためのサムターン４００が設けられている。錠開閉装置１００は、サムターン４００に取り付けることができる。錠開閉装置１００は、サムターン４００及びその周囲を覆う筐体１６０と、サムターン４００を回転させるサムターン回転部１７０と、を備えている。
【００３５】
筐体１６０は、磁力等によってドア４１０に固定できる。サムターン回転部１７０は、筐体１６０に内蔵されたモータやバッテリ等とともに図３に示されたサムターン開閉機構２２を構成している。サムターン回転部１７０には、サムターン４００のつまみを挟持するための溝が設けられている。サムターン回転部１７０は、モータに駆動されてサムターン４００を回転させる。バッテリは、モータや図３に示された制御部１０に電力を供給する。
【００３６】
図５は、携帯端末２００の構成を示すブロック図である。図５に示すように、携帯端末２００は、制御部３０と、メモリ４０と、近距離通信部４１と、ネットワーク通信部４２と、撮像部４３と、を備えている。制御部３０は、例えばＣＰＵ等を備えたコンピュータシステムにおいて所定の動作プログラムを実行させることによって構成され、機能ブロックとしての第１処理部３１及び第２処理部３２を有している。
【００３７】
メモリ４０は、制御部３０と接続された不揮発性メモリ等の記憶手段であり、制御部３０で実行される動作プログラムや各種のデータを記憶する。例えば、メモリ４０には、撮像部４３が撮像したコード画像、携帯端末２００の利用者を識別可能な利用者情報、サーバ３００から受信した操作コマンド等のデータが格納される。
【００３８】
近距離通信部４１は、制御部３０と接続されており、制御部３０と錠開閉装置１００との間で近距離無線通信に係る処理を行う。前述したように、近距離無線通信にはブルートゥース（登録商標）等の通信規格を用いることができる。ネットワーク通信部４２は、制御部３０と接続されており、制御部３０がネットワークＮを介してサーバ３００と情報通信するために必要な処理を行う。撮像部４３は、カメラ等であって対象機器の周辺に付設されたコード画像Ｐ（図１に示す）を撮像する。
【００３９】
第１処理部３１は、撮像部４３がコード画像Ｐを撮像したとき、前述した利用者情報とともに、コード画像Ｐに含まれるコード情報をネットワーク通信部４２経由でサーバ３００に送信する。第２処理部３２は、サーバ３００から受信した操作コマンドをメモリ４０に格納し、錠開閉装置１００に対して、サムターン４００の解錠又は施錠の操作コマンドを送信する処理を行う。
【００４０】
図６は、サーバ３００の構成を示すブロック図である。図６に示すように、サーバ３００は、制御部５０と、メモリ６０と、記憶部６１と、ネットワーク通信部６２と、を備えている。メモリ６０は、制御部５０と接続された不揮発性メモリ等の記憶手段であり、制御部５０で実行される動作プログラムや各種のデータを記憶する。
【００４１】
記憶部６１は、ハードディスク装置等の記憶容量が大きい記憶装置であり、制御部５０の動作に必要な情報を記憶する。ネットワーク通信部６２は、制御部５０と接続されており、制御部５０が通信ネットワークＮを介して携帯端末２００との間で情報通信するために必要な処理を行う。
【００４２】
制御部５０は、例えばＣＰＵ等を備えたコンピュータシステムにおいて所定の動作プログラムを実行させることによって構成され、機能ブロックとしての第１認証処理部５１及び第２認証処理部５２を有している。第１及び第２認証処理部５１，５２は、本実施形態に係る認証処理部の一例である。第１認証処理部５１は、携帯端末２００から送信される要求に応じて、その携帯端末２００の利用者がサーバ３００に登録された利用者であるか否かを確認する認証処理を行う。
【００４３】
認証処理において、第１認証処理部５１は、例えば、携帯端末２００から送信されるユーザＩＤと記憶部６１等に格納されている「どのユーザが」「どの機器に対して」「どのような操作が許されているか」等の情報とを突き合わせて利用者の操作権限の有無を判断する。第２認証処理部５２は、例えば、利用者の操作権限を認証し、受信したコード情報を利用者が操作可能と第１認証処理部５１が判断したとき、対象機器を操作するための操作コマンドを携帯端末２００に送信する。
【００４４】
図７は、携帯端末２００から受信した情報に基づいてサーバ３００が操作コマンドを送信する手順を示すフローチャートである。錠開閉装置１００の周辺に付設された開錠用のコード画像Ｐには、例えば、当該錠開閉装置１００に対応する識別情報（機器ＩＤ）「ｘ」、操作情報「開錠」といったコード情報が埋め込まれている。図７に示すように、利用者が携帯端末２００を用いてコード画像Ｐを撮像すると、携帯端末２００の第１処理部３１がユーザＩＤ等の利用者を特定可能な情報（以下「利用者情報」ともいう。）とともに、コード画像Ｐに含まれるコード情報をネットワーク通信部４２経由でサーバ３００に送信する。サーバ３００の第１認証処理部５１は、携帯端末２００からコード情報と利用者情報とを受信したか否かを判定する（ステップＳ１１）。
【００４５】
コード情報及び利用者情報の受信がない間（ステップＳ１１；ＮＯ）、ステップＳ１１の判定が繰り返される。携帯端末２００からの送信は、例えば携帯端末２００にインストールされた専用アプリやウェブブラウザを用いて行われる。コード情報を受信した場合（ステップＳ１１；ＹＥＳ）、サーバ３００の第１認証処理部５１は、携帯端末２００から受信したコード情報及び利用者情報に基づいて、この携帯端末２００の利用者がこの機器に対して、どのような操作が許されているかを判断する（ステップＳ１２）。
【００４６】
図８は、サーバ３００に格納されている認証情報の一例を示す図である。サーバ３００の記憶部６１には、例えば、「どのユーザが」「どの機器に対して」「どのような操作が許されているか」等の情報が格納されている。図示した認証情報において、例えば、ユーザＡが携帯端末２００を用いて機器ｘの周辺に付設された開錠用のコード画像Ｐを撮像すると、ユーザＩＤ「Ａ」、機器ＩＤ「ｘ」、操作内容「開錠」という情報が携帯端末２００からサーバ３００に送信される。サーバ３００は、受信した情報を認証情報と突き合せて、Ａがｘを開錠できるか否かを判断し、図８に示された例では、利用者Ａに操作権限ありと認証する。
【００４７】
また、例えば、利用者Ａが２０時に携帯端末２００を用いて機器ｙの周辺に付設された開錠用のコード画像Ｐを撮像すると、サーバ３００は、受信した情報を認証情報と突き合せて、利用者Ａに操作権限なしと判断する。作動制御システムの管理者は、図８に示された認証情報のテーブルを修正することで、各々の利用者がどの機器をいつ・どのように操作できるかを、きめ細かく設定できる。
【００４８】
操作権限を有する利用者である場合（ステップＳ１２；ＹＥＳ）、第２認証処理部５２は、第１認証処理部５１によって認証された対象機器の操作コマンド（例えば、錠前の解錠操作）を利用者の携帯端末２００に送信する（ステップＳ１３）。操作権限を有する利用者でない場合（ステップＳ１２；ＮＯ）、第２認証処理部５２は、対象機器の操作コマンドを送信しない（ステップＳ１４）。このとき、第２認証処理部５２は、携帯端末２００にエラーメッセージを表示させてもよい。
【００４９】
図９は、解錠又は施錠を実行する際の携帯端末２００及び錠開閉装置１００の動作手順を示すフローチャートである。図９に示すように、携帯端末２００の第２処理部３２は、近距離通信部４１を介して、サーバ３００から受信した操作コマンドを錠開閉装置１００に送信する（ステップＳ２１）。錠開閉装置１００の制御部１０は、近距離通信部２１を介して、操作コマンドを携帯端末２００から受信する（ステップＳ２２）。
【００５０】
開閉制御部１２は、携帯端末２００から受信した操作コマンドに基づいて、サムターン開閉機構２２に命令を与え、サムターン開閉機構２２を作動させる（ステップＳ２３）。ステイタス処理部１１は、近距離通信部２１を介して作動結果を示すステイタス情報を携帯端末２００に送信する（ステップＳ２４）。
【００５１】
携帯端末２００の第２処理部３２は、近距離通信部４１を介して錠開閉装置１００からステイタス情報を受信する（ステップＳ２５）。その後、携帯端末２００の第２処理部３２は、ネットワーク通信部４２を介して、ステイタス情報をサーバ３００に送信する（ステップＳ２６）。なお、操作コマンドの処理が完了するごとに、携帯端末２００の第２処理部３２は、メモリ４０に格納した操作コマンドを消去してもよい。これにより、操作コマンドの不正使用を防止できる。
【００５２】
以上のような実施形態によれば、対象機器に付設されたコード画像Ｐをカメラ等の撮像部４３で撮像できる距離にいれば、対象機器を操作できる。近距離無線通信を用いて操作コマンドを携帯端末２００から対象機器に送信するため、コード画像Ｐをコピーして対象機器から離れた場所で対象機器を操作しようとしても、対象機器を操作できない。また、サーバ３００に格納された情報を書き換えてコード画像Ｐを無効にできるため、不正使用されても、すぐにコード画像を変更すればよく、セキュリティを確保できる。
【００５３】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００５４】
１０，３０，５０…制御部、１１…ステイタス処理部、１２…開閉制御部、２０，４０，６０…メモリ、２１，４１…近距離通信部、２２…サムターン開閉機構、３１…第１処理部、３２…第２処理部、４２，６２…ネットワーク通信部、４３…撮像部、５１…第１認証処理部（認証部の一例）、５２…第２認証処理部（認証部の他の一例）、６１…記憶部、１００…錠開閉装置（対象機器の一例）、１６０…筐体、１７０…サムターン回転部、２００…携帯端末、３００…サーバ（コンピュータの一例）、４００サムターン、４１０…ドア、Ｐ…コード画像、Ｎ…通信ネットワーク。
【要約】
【課題】対象機器から離れた場所では該機器を操作できないように利用者の操作権限を制限できる作動制御システム及び作動制御方法を提供する。
【解決手段】作動制御システムは、携帯端末と、該携帯端末と通信可能なサーバと、を備えている。携帯端末は、対象機器の周辺に付設されたコード画像を撮像する撮像部と、コード画像を撮像したとき、コード画像に含まれるコード情報と、携帯端末の利用者を識別可能な利用者情報とを、サーバに送信する第１処理部と、サーバから操作コマンドを受信したとき、該操作コマンドを対象機器に送信し、操作コマンドに応じて対象機器を作動させる第２処理部と、を備えている。サーバは、携帯端末からコード情報と利用者情報とを受信したとき、コード情報と利用者情報とに基づいて利用者の操作権限を認証し、操作可能と判断されたとき、操作コマンドを携帯端末に送信する認証処理部を備えている。
【選択図】図２【図１】
0006837168.tif 000002
【図２】
0006837168.tif 000003
【図３】
0006837168.tif 000004
【図４】
0006837168.tif 000005
【図５】
0006837168.tif 000006
【図６】
0006837168.tif 000007
【図７】
0006837168.tif 000008
【図８】
0006837168.tif 000009
【図９】
0006837168.tif 000010